(57)【特許請求の範囲】
【請求項１】
ネットワーク側が、ポイントツーポイント（ＰＴＰ）方式で１つ又は複数のマルチメディアブロードキャストマルチキャストサービス（ＭＢＭＳ）を受信しているユーザー装置（ＵＥ）の数、及び／又はＰＴＭ方式で前記１つ又は複数のＭＢＭＳを受信することに関心を持つユーザー装置の数を統計し、ネットワーク側が統計結果に基づいて、前記１つ又は複数のＭＢＭＳのＰＴＭ方式送信を行うことをトリガーすることを決定し、且つネットワーク側が前記１つ又は複数のＭＢＭＳの優先度レベル及び／又はＭＢＭＳ資源によって前記ＰＴＭの確立が成功できると確定した後、ネットワーク側が前記１つ又は複数のＭＢＭＳをＰＴＭ方式で送信しようとすることをユーザー装置に通知し、且つ前記１つ又は複数のＭＢＭＳの関連情報を前記ユーザー装置に送信することを含み、
前記関連情報が、ＰＴＭ方式における前記ＭＢＭＳのマルチメディアブロードキャストマルチキャスト単一周波数ネットワーク（ＭＢＳＦＮ）領域情報、ＰＴＭ方式における前記ＭＢＭＳの開始時間情報、及びＰＴＭ方式で前記ＭＢＭＳに対応する一時的モバイルグループ識別子（ＴＭＧＩ）のいずれかの一つ又はそれらの組合せを含み、
送信方式が切替られ、ＵＥ所在のセルが複数のＭＢＳＦＮ領域によって重複カバーされる時、前記関連情報はＰＴＭ方式におけるＭＢＳＦＮ領域情報を含むマルチメディアブロードキャストマルチキャストサービス送信方式の切替方法。
【請求項２】
前記ユーザー装置はＰＴＭ方式で受信した前記ＭＢＭＳとＰＴＰ方式で受信した前記ＭＢＭＳとが連続である時、前記ネットワーク側に要求を送信し、前記ＭＢＭＳのＰＴＰ方式送信を停止することを前記ネットワーク側に要求することをさらに含む請求項１に記載の方法。
【請求項３】
前記ネットワーク側が統計結果によって前記１つ又は複数のＭＢＭＳをＰＴＭ方式で送信を行うことをトリガーすることを決定する際、統計されたユーザー装置の数が予め設定されたＵＥの数の閾値を超えると、前記１つ又は複数のＭＢＭＳをＰＴＭ方式で送信を行うことをトリガーすることを決定することを含む請求項１または請求項２に記載の方法。
【請求項４】
前記ネットワーク側は進化型ユニバーサル地上波無線アクセスネットワーク（Ｅ−ＵＴＲＡＮ）であり、前記ネットワーク側はマルチセル調整エンティティ（ＭＣＥ）、ブロードキャストマルチキャストサービスセンター（ＢＭＳＣ）、ＭＢＭＳゲートウェイ基地局、モビリティ管理エンティティＭＭＥを含む請求項１〜３のいずれか一項に記載の方法。
【請求項５】
前記関連情報に、ＰＴＭ方式における前記ＭＢＭＳの開始時間情報と、ＰＴＭ方式における前記ＭＢＭＳのＭＢＳＦＮ領域情報と、ＰＴＭ方式における前記ＭＢＭＳに対応するＴＭＧＩ情報とを含み、前記ＵＥがＰＴＭ方式の確立の準備を完成した後、直接ＭＢＳＦＮ領域内で指定したＴＭＧＩに対応するＭＢＭＳサービスを受信し、又は、
前記関連情報に、ＰＴＭ方式における前記ＭＢＭＳの開始時間情報を含むが、ＰＴＭ方式における前記ＭＢＭＳのＭＢＳＦＮ領域情報と、ＰＴＭ方式における前記ＭＢＭＳに対応するＴＭＧＩ情報とを含まず、前記ＵＥがＰＴＭ方式の確立の準備を完成した後、従来のＰＴＰ方式時に対応するＭＢＭＳサービスを発見するまでＭＢＳＦＮ領域を検索し続け、又は、
前記関連情報に、ＰＴＭ方式における前記ＭＢＭＳの開始時間情報を含まないが、ＰＴＭ方式における前記ＭＢＭＳのＭＢＳＦＮ領域情報と、ＰＴＭ方式における前記ＭＢＭＳに対応するＴＭＧＩ情報とを含み、前記ＵＥがＰＴＭ方式の確立の準備を完成した後、ブロードキャスト制御チャネルのシステム情報ブロック１３（ＳＩＢ１３）を受信し、ＭＢＳＦＮ領域情報リストにおいて前記ＭＢＳＦＮ領域情報を発見するまでＳＩＢ１３中でＭＢＳＦＮ領域情報リストを獲得し続け、ＵＥは前記ＭＢＳＦＮ領域情報に対応するマルチメディア通信チャネル（ＭＣＣＨ）を受信し、前記ＴＭＧＩを獲得し、ＰＴＭ方式におけるＭＢＭＳ受信を開始し、又は、
前記関連情報に、ＰＴＭ方式における前記ＭＢＭＳの開始時間情報とＴＭＧＩとを含まないが、上記対応するＭＢＳＦＮ領域情報を含み、前記ＵＥがＰＴＭ方式の確立の準備を完成した後、ブロードキャスト制御チャネルのＳＩＢ１３を受信し、ＭＢＳＦＮ領域情報リストにおいて前記ＭＢＳＦＮ領域情報を発見するまでＳＩＢ１３中でＭＢＳＦＮ領域情報リストを獲得し続け、ＵＥは前記ＭＢＳＦＮ領域情報に対応するＭＣＣＨを受信し、且つＰＴＰ方式における前記ＭＢＭＳのＴＭＧＩによってＰＴＭ方式における前記ＭＢＭＳのＴＭＧＩを獲得し、ＰＴＭ方式におけるＭＢＭＳ受信を開始し、又は、
前記関連情報に、ＰＴＭ方式における前記ＭＢＭＳの開始時間情報を含まないが、ＰＴＭ方式における前記ＭＢＭＳに対応するＴＭＧＩを含み、前記ＵＥがＰＴＭ方式の確立の準備を完成した後、ブロードキャスト制御チャネルのＳＩＢ１３を受信し、ＰＴＭ方式における前記ＭＢＭＳに対応するＴＭＧＩを発見するまでＳＩＢ１３中でＭＢＳＦＮ領域情報リストを獲得し、ＭＢＳＦＮ領域毎のＭＣＣＨ配置情報獲し、各ＭＣＣＨを一つずつ受信し続け、ＰＴＭ方式におけるＭＢＭＳ受信を開始する請求項１〜４のいずれか一項に記載の方法。
【請求項６】
前記関連情報に、ＰＴＭ方式における前記ＭＢＭＳに対応するＴＭＧＩを含まない時、ＵＥはＰＴＭ方式における対応するＴＭＧＩとＰＴＰ方式におけるＴＭＧＩとが同じであることをデフォルトする請求項５に記載の方法。
【請求項７】
ＰＴＰ方式で１つ又は複数のマルチメディアブロードキャストマルチキャストサービス（ＭＢＭＳ）を受信しているユーザー装置の数、及び／又はポイントツーマルチポイント（ＰＴＭ）方式で前記１つ又は複数のＭＢＭＳを受信することに関心を持つユーザー装置の数を統計する統計ユニットと、
前記統計ユニットの統計結果に基づいて、前記１つ又は複数のＭＢＭＳのＰＴＭ方式送信を行うことをトリガーするかどうかを決定するトリガーユニットと、
前記トリガーユニットが前記１つ又は複数のＭＢＭＳのＰＴＭ方式送信を行うことをトリガーすることを決定する時、前記１つ又は複数のＭＢＭＳの優先度レベル及び／又はＭＢＭＳ資源によって前記ＭＢＭＳのＰＴＭ方式ベアラの確立が成功できるかどうかを確定し、成功できる場合、１つ又は複数のＭＢＭＳをＰＴＭ方式で送信しようとすることを前記ユーザー装置に通知するよう通知ユニットに指示する判断ユニットと、
１つ又は複数のマルチメディアブロードキャストマルチキャストサービス（ＭＢＭＳ）をポイントツーマルチポイント（ＰＴＭ）方式で送信しようとすることをユーザー装置に通知し、且つ前記１つ又は複数のＭＢＭＳの関連情報を前記ユーザー装置に送信する通知ユニットとを備え、
前記関連情報が、ＰＴＭ方式における前記ＭＢＭＳのマルチメディアブロードキャストマルチキャスト単一周波数ネットワーク（ＭＢＳＦＮ）領域情報、ＰＴＭ方式における前記ＭＢＭＳの開始時間情報、及びＰＴＭ方式で前記ＭＢＭＳに対応する一時的モバイルグループ識別子（ＴＭＧＩ）のいずれかの一つ又はそれらの組合せを含み、
送信方式が切替られ、ＵＥ所在のセルが複数のＭＢＳＦＮ領域によって重複カバーされる時、前記関連情報はＰＴＭ方式におけるＭＢＳＦＮ領域情報を含むマルチメディアブロードキャストマルチキャストサービス送信方式の切替装置。
【請求項８】
前記判断ユニットが前記ＭＢＭＳのＰＴＭ方式ベアラの確立が成功できると判断することは、ＰＴＭ方式で送信される前記ＭＢＭＳに十分な資源を割り当てることができると判断すること、及び／又は、前記ＭＢＭＳの優先度レベルが十分に高いと判断することを含み、
前記トリガーユニットが統計結果によって前記１つ又は複数のＭＢＭＳをＰＴＭ方式で送信を行うことをトリガーすることを決定することには、統計されたユーザー装置の数が予め設定されたＵＥの数の閾値を超えると、前記１つ又は複数のＭＢＭＳをＰＴＭ方式で送信を行うことをトリガーすることを決定することを含み、
前記装置には前記ＭＢＭＳのＰＴＰ方式送信の停止を要求する前記ユーザー装置の要求を受信した時、ＰＴＰ方式で前記ユーザー装置に前記ＭＢＭＳを送信することを停止するようネットワーク側を制御する送信制御ユニットをさらに含み、前記ネットワーク側において判断を実行するネットワークエレメントはＭＣＥである請求項７に記載の装置。
【請求項９】
１つ又は複数のマルチメディアブロードキャストマルチキャストサービス（ＭＢＭＳ）をポイントツーマルチポイント（ＰＴＭ）方式で送信しようとする通知をネットワーク側から受信し、及び前記１つ又は複数のＭＢＭＳの関連情報を受信するシグナル受信ユニットと、
前記関連情報に基づいてＰＴＭ方式で前記１つ又は複数のＭＢＭＳを受信するデータ受信ユニットと、を備え、
前記関連情報が、ＰＴＭ方式における前記ＭＢＭＳのマルチメディアブロードキャストマルチキャスト単一周波数ネットワーク（ＭＢＳＦＮ）領域情報、ＰＴＭ方式における前記ＭＢＭＳの開始時間情報、及びＰＴＭ方式で前記ＭＢＭＳに対応する一時的モバイルグループ識別子（ＴＭＧＩ）のいずれかの一つ又はそれらの組合せを含み、ここで、
前記一つ又は複数のＭＢＭＳをＰＴＭ方式で送信されることになり、且つ前記一つ又は複数のＭＢＭＳの関連情報を前記ユーザー装置に送信することはネットワーク側がユーザー装置に通知したことであり、前記通知は、ネットワーク側が、ポイントツーポイント（ＰＴＰ）方式で前記１つ又は複数のマルチメディアブロードキャストマルチキャストサービス（ＭＢＭＳ）を受信しているユーザー装置（ＵＥ）の数、及び／又はポイントツーマルチポイント（ＰＴＭ）方式で前記１つ又は複数のＭＢＭＳを受信することに関心を持つユーザー装置の数を統計し、ネットワーク側が統計結果に基づいて、前記１つ又は複数のＭＢＭＳのＰＴＭ方式送信を行うことをトリガーすることを決定し、且つネットワーク側が前記１つ又は複数のＭＢＭＳの優先度レベル及び／又はＭＢＭＳ資源によって前記ＰＴＭの確立が成功できると確定した後、という場合で送信されるユーザー装置。
【請求項１０】
前記データ受信ユニットが前記関連情報に基づいてＰＴＭ方式で前記ＭＢＭＳを受信する前、前記ユーザー装置がＭＢＭＳ能力を有するかどうかを判断し、前記ユーザー装置がＭＢＭＳ能力を有すると、前記データ受信ユニットに前記ＭＢＭＳを受信することを指示する能力判断ユニットをさらに備える請求項９に記載のユーザー装置。
【請求項１１】
前記データ受信ユニットはＰＴＭ方式で前記ＭＢＭＳを受信する時、前記ＰＴＭ方式で受信した前記ＭＢＭＳとＰＴＰ方式で受信した前記ＭＢＭＳとが連続であるかどうかを判断し、連続でないと、２種類の方式で受信した前記ＭＢＭＳが連続するまで、同時にＰＴＭ方式とＰＴＰ方式で前記ＭＢＭＳを受信することを維持するよう前記データ受信ユニットに指示し、ＰＴＭ方式とＰＴＰ方式で受信した前記ＭＢＭＳが連続である場合、前記ＭＢＭＳのＰＴＰ方式受信の停止を前記データ受信ユニットに指示する請求項１０または請求項９に記載のユーザー装置。
【請求項１２】
前記連続性判断ユニットがＰＴＭ方式で受信した前記ＭＢＭＳとＰＴＰ方式で受信した前記ＭＢＭＳとが連続であると判断する場合、前記ネットワーク側に要求を送信し、前記ＭＢＭＳのＰＴＰ方式送信を停止することを前記ネットワーク側に要求するシグナル送信ユニットをさらに備える請求項１１に記載のユーザー装置。
【請求項１３】
前記シグナル受信ユニットが受信した前記関連情報に、ＰＴＭ方式における前記ＭＢＭＳの開始時間情報と、ＰＴＭ方式における前記ＭＢＭＳのＭＢＳＦＮ領域情報と、ＰＴＭ方式における前記ＭＢＭＳに対応するＴＭＧＩ情報とを含み、前記データ受信ユニットがＰＴＭ方式の確立の準備を完成した後、直接にＭＢＳＦＮ領域内で指定したＴＭＧＩに対応するＭＢＭＳサービスを受信し、又は、
前記関連情報に、ＰＴＭ方式における前記ＭＢＭＳの開始時間情報を含むが、ＰＴＭ方式における前記ＭＢＭＳのＭＢＳＦＮ領域情報と、ＰＴＭ方式における前記ＭＢＭＳに対応するＴＭＧＩ情報とを含まず、前記データ受信ユニットがＰＴＭ方式の確立の準備を完成した後、従来のＰＴＰ方式時に対応するＭＢＭＳサービスを発見するまで現在セールのすべてのＭＢＳＦＮ領域を検索し続け、ここで、ＰＴＭ方式における対応するＴＭＧＩとＰＴＰ方式におけるＴＭＧＩとが同じであることをデフォルトする請求項９〜１２のいずれか一項に記載のユーザー装置。
【請求項１４】
前記シグナル受信ユニットが受信した前記関連情報に、ＰＴＭ方式における前記ＭＢＭＳの開始時間情報を含まないが、ＰＴＭ方式における前記ＭＢＭＳのＭＢＳＦＮ領域情報と、ＰＴＭ方式における前記ＭＢＭＳに対応するＴＭＧＩ情報とを含み、前記データ受信ユニットがＰＴＭ方式の確立の準備を完成した後、ブロードキャスト制御チャネルのシステム情報ブロック１３（ＳＩＢ１３）を受信し、ＭＢＳＦＮ領域情報リストにおいて前記ＭＢＳＦＮ領域情報を発見するまでＳＩＢ１３中でＭＢＳＦＮ領域情報リストを獲得し続け、ＵＥは前記ＭＢＳＦＮ領域情報に対応するマルチメディア通信チャネル（ＭＣＣＨ）を受信し、前記ＴＭＧＩを獲得し、ＰＴＭ方式におけるＭＢＭＳ受信を開始し、又は、
前記シグナル受信ユニットが受信した前記関連情報に、ＰＴＭ方式における前記ＭＢＭＳの開始時間情報とＴＭＧＩとを含まないが、上記対応するＭＢＳＦＮ領域情報を含み、前記データ受信ユニットがＰＴＭ方式の確立の準備を完成した後、ブロードキャスト制御チャネルのＳＩＢ１３を受信し、ＭＢＳＦＮ領域情報リストにおいて前記ＭＢＳＦＮ領域情報を発見するまでＳＩＢ１３中でＭＢＳＦＮ領域情報リストを獲得し続け、ＵＥは前記ＭＢＳＦＮ領域情報に対応するＭＣＣＨを受信し、且つＰＴＰ方式における前記ＭＢＭＳのＴＭＧＩによってＰＴＭ方式における前記ＭＢＭＳのＴＭＧＩを獲得し、ＰＴＭ方式におけるＭＢＭＳ受信を開始し、又は、
前記シグナル受信ユニットが受信した前記関連情報に、ＰＴＭ方式における前記ＭＢＭＳの開始時間情報を含まないが、ＰＴＭ方式における前記ＭＢＭＳに対応するＴＭＧＩを含み、前記データ受信ユニットがＰＴＭ方式の確立の準備を完成した後、ブロードキャスト制御チャネルのＳＩＢ１３を受信し、ＰＴＭ方式における前記ＭＢＭＳに対応するＴＭＧＩを発見するまでＳＩＢ１３中でＭＢＳＦＮ領域情報リストを獲得し、ＭＢＳＦＮ領域毎のＭＣＣＨ配置情報獲し、各ＭＣＣＨを一つずつ受信し続け、ＰＴＭ方式におけるＭＢＭＳ受信を開始し、ここで、ＰＴＭ方式における対応するＴＭＧＩとＰＴＰ方式におけるＴＭＧＩとが同じであることをデフォルトする請求項９〜１２のいずれか一項に記載のユーザー装置。
【発明の詳細な説明】
【技術分野】
【０００１】
本発明は、マルチメディアブロードキャストマルチキャストサービス（Ｍｕｌｔｉｍｅｄｉａ Ｂｒｏａｄｃａｓｔ Ｍｕｌｔｉｃａｓｔ Ｓｅｒｖｉｃｅ、ＭＢＭＳ）サービスを送信する２種類の異なる方式間の切替に関して提案されたものであり、主として、ポイントツーポイント（Ｐｏｉｎｔ ｔｏ Ｐｏｉｎｔ、ＰＴＰ）のＭＢＭＳサービス送信方式からマルチメディアブロードキャストマルチキャスト単一周波数ネットワーク（Ｍｕｌｔｉｍｅｄｉａ Ｂｒｏａｄｃａｓｔ ｍｕｌｔｉｃａｓｔ ｓｅｒｖｉｃｅ Ｓｉｎｇｌｅ Ｆｒｅｑｕｅｎｃｙ Ｎｅｔｗｏｒｋ、ＭＢＳＦＮ）領域を単位とするＭＢＳＦＮ送信方式への切替方法、装置及びユーザー装置に関する。
【背景技術】
【０００２】
インターネットの急速な発展及び大画面多機能携帯電話の普及に従い、大量のモバイルデータマルチメディアサービス及び各種の高帯域マルチメディアサービス、例えば、ビデオ会議、テレビ放送、ビデオ・オン・デマンド、動画広告、オンライン教育、インタラクティブゲームなどが現れ、モバイルユーザーの日々進化しているサービスニーズを満足するとともに、モバイル事業者に新たなサービス成長点を提供する。これらのモバイルデータマルチメディアサービスは複数のユーザーが同一データを同時に受信可能であることを要求し、普通のデータサービスと比べて、データ量が大きく、持続時間が長く、遅延に敏感であるなどの特徴を有する。モバイルネットワーク資源を効果的に利用するために、第３世代パートナーシップ・プロジェクト(３ｒｄ Ｇｅｎｅｒａｔｉｏｎ Ｐａｒｔｎｅｒｓｈｉｐ Ｐｒｏｊｅｃｔ、３ＧＰＰと略称される）はＭＢＭＳサービスを提案しており、当該サービスは１つのデータソースから複数のターゲットにデータを伝送する技術であり、ネットワーク（コアネットワーク及びアクセスネットワークを含む。）資源の共有を実現し、ネットワーク資源（特に無線インタフェース資源）の利用率を向上させる。３ＧＰＰにより定義されたＭＢＭＳサービスはプレーンテキストかつ低速のメッセージ類のマルチキャストとブロードキャストを実現するだけでなく、高速マルチメディアサービスのブロードキャストとマルチキャストを実現することができ、様々な豊かなビデオ、オーディオ及びマルチメディアサービスを提供し、明らかに、これは未来のモバイルデータの発展傾向に合い、３Ｇ （３ｒｄ Ｇｅｎｅｒａｔｉｏｎ、第３世代デジタル通信）の発展によりよいサービスの見通しを提供する。
【０００３】
ＬＴＥ（Ｌｏｎｇ Ｔｅｒｍ Ｅｖｏｌｕｔｉｏｎ、ロング・ターム・エボリューション）Ｒ１０のＭＢＭＳ標準作成について、電気通信事業者ｏｒａｎｇｅは、ＭＢＭＳサービスが事業者のニーズに応じて進化型ユニバーサル地上波無線アクセスネットワーク（Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ、Ｅ−ＵＴＲＡＮ）においてＰＴＰ方式でユーザー装置（Ｕｓｅｒ Ｅｑｕｉｐｍｅｎｔ、ＵＥ）に送信することができることを提案する。そして、ＬＴＥの重ね重ねの会議検討を経た後、他の会社のサポートと承認を得て、且つＭＢＭＳ計数（Ｃｏｕｎｔｉｎｇ）議題の検討において、この種類のサービスにＣｏｕｎｔｉｎｇを行い、Ｃｏｕｎｔｉｎｇの結果に基づき、ＰＴＰ方式であるＭＢＭＳサービスを受信するユーザーの数が閾値要求を満たすと（すなわち、受信するユーザーの数が比較的多い時）、当該ＭＢＭＳサービスを、ＭＢＳＦＮ方式（ポイントツーマルチポイント（Ｐｏｉｎｔ ｔｏ Ｍｕｌｔｉｐｏｉｎｔ、ＰＴＭ、以下、ＰＴＭで記述される。）の方式で、且つマルチセルジョイント送信の方式（勿論、極端の場合に、１つのセルで構成されてもよいが、この時、無線インタフェース合併ゲインがない。）であり、詳しくはＬＴＥ ３６．３００ｖ１０．１．０プロトコルの１５．３．３  Ｍｕｌｔｉ−ｃｅｌｌ ｔｒａｎｓｍｉｓｓｉｏｎの記述を参照）を採用するＭＢＳＦＮ領域内で送信されるＭＢＭＳサービスに変換し、以降の記述がＰＴＭ方式で記述される。当該ＭＢＭＳサービスを受信するユーザーの数が一定の閾値を超えた後、送信方式をＰＴＰ方式からＰＴＭ方式に切り替えて、当該ＭＢＭＳサービスを送信するスペクトル効率をより一層に向上させ、スペクトル資源を節約することができる。
【０００４】
従来の技術において、ＰＴＰ方式で送信されるＭＢＭＳサービスをＰＴＭ方式による送信に切り替える具体的な切替方法は言及されない。
【発明の概要】
【発明が解決しようとする課題】
【０００５】
本発明が解決しようとする技術課題は、ＭＢＭＳサービス送信方式の切替方法、装置及びユーザー装置を提供し、ＭＢＭＳサービスのＰＴＰ方式送信からＰＴＭ方式送信への切替を実現することにある。
【課題を解決するための手段】
【０００６】
上記課題を解決するために、本発明はマルチメディアブロードキャストマルチキャストサービス送信方式の切替方法を提供し、
ネットワーク側はユーザー装置に１つ又は複数のマルチメディアブロードキャストマルチキャストサービス（ＭＢＭＳ）をポイントツーマルチポイント（ＰＴＭ）方式で送信しようとすることを通知し、且つ前記１つ又は複数のＭＢＭＳの関連情報を前記ユーザー装置に送信することを含む。
【０００７】
当該方法は、前記ネットワーク側は前記ユーザー装置に１つ又は複数のＭＢＭＳをＰＴＭ方式で送信しようとすることを通知する前、前記ＭＢＭＳのＰＴＭ方式ベアラの確立が成功したことを確定し、或いは前記ＭＢＭＳのＰＴＭ方式ベアラの確立が成功できると判断することをさらに含む。
【０００８】
前記ネットワーク側は、ＰＴＭ方式で送信される前記ＭＢＭＳに十分な資源を割り当てることができると判断し、及び／又は、前記ＭＢＭＳの優先度レベルが十分に高いと判断することによって、前記ＭＢＭＳのＰＴＭ方式ベアラの確立が成功できると判断する。
【０００９】
前記ネットワーク側が通知する前記ユーザー装置は、ポイントツーポイント(ＰＴＰ)方式で前記１つ又は複数のＭＢＭＳを受信しているユーザー装置である。
【００１０】
前記ネットワーク側は前記ユーザー装置に通知するとともに、前記関連情報を載せる。
【００１１】
前記関連情報は、ＰＴＭ方式における前記ＭＢＭＳのマルチメディアブロードキャストマルチキャスト単一周波数ネットワーク（ＭＢＳＦＮ）領域情報、ＰＴＭ方式における前記ＭＢＭＳの開始時間情報、及びＰＴＭ方式で前記ＭＢＭＳに対応する一時的モバイルグループ識別子（ＴＭＧＩ）のいずれか又はそれらの組合せを含む。
【００１２】
当該方法は、前記ユーザー装置が前記関連情報に基づいてＰＴＭ方式で前記ＭＢＭＳを受信することをさらに含む。
【００１３】
当該方法は、前記ユーザー装置が前記関連情報に基づいてＰＴＭ方式で前記ＭＢＭＳを受信する前、前記ユーザー装置がＭＢＭＳ能力を有するかどうかを判断し、ＭＢＭＳ能力を有すると、前記関連情報に基づいてＰＴＭ方式で前記ＭＢＭＳを受信することをさらに含む。
【００１４】
当該方法は、前記ユーザー装置がＰＴＭ方式で前記ＭＢＭＳを受信した時、前記ＰＴＭ方式で受信した前記ＭＢＭＳがＰＴＰ方式で受信した前記ＭＢＭＳと連続するかどうかを判断し、連続しない場合、２種類の方式で受信した前記ＭＢＭＳが連続するまで、同時にＰＴＭ方式とＰＴＰ方式で前記ＭＢＭＳを受信することを維持することをさらに含む。
【００１５】
当該方法は、前記ユーザー装置がＰＴＭ方式とＰＴＰ方式で受信した前記ＭＢＭＳは連続する時、前記ＭＢＭＳのＰＴＰ方式受信を停止することをさらに含む。
【００１６】
当該方法は、前記ユーザー装置がＰＴＭ方式で受信した前記ＭＢＭＳはＰＴＰ方式で受信した前記ＭＢＭＳと連続する時、前記ネットワーク側に要求を送信し、前記ネットワーク側が前記ＭＢＭＳのＰＴＰ方式送信を停止することを要求することをさらに含む。
【００１７】
当該方法は、前記ネットワーク側が前記要求を受信した時、ＰＴＰ方式で前記ユーザー装置に前記ＭＢＭＳを送信することを停止することをさらに含む。
【００１８】
前記ネットワーク側はトリガーされて前記１つ又は複数のＭＢＭＳのＰＴＭ方式送信を行う時、前記ユーザー装置に前記１つ又は複数のＭＢＭＳをＰＴＭ方式で送信しようとすることを通知する。
【００１９】
当該方法は、前記ネットワーク側は、ＰＴＰ方式で前記１つ又は複数のＭＢＭＳを受信しているユーザー装置の数、及び／又はＰＴＭ方式で前記１つ又は複数のＭＢＭＳを受信することに関心を持つユーザー装置の数を統計し、統計結果に基づいて、トリガーして前記１つ又は複数のＭＢＭＳのＰＴＭ方式送信を行うかどうかを判断することをさらに含む。
【００２０】
前記ネットワーク側は進化型ユニバーサル地上波無線アクセスネットワーク（Ｅ−ＵＴＲＡＮ）である。
【００２１】
本発明はさらにマルチメディアブロードキャストマルチキャストサービス送信方式の切替装置を提供し、
ユーザー装置に１つ又は複数のマルチメディアブロードキャストマルチキャストサービス（ＭＢＭＳ）をポイントツーマルチポイント（ＰＴＭ）方式で送信しようとすることを通知し、且つ前記１つ又は複数のＭＢＭＳの関連情報を前記ユーザー装置に送信するように設置される通知ユニットを備える。
【００２２】
当該装置は、前記ＭＢＭＳのＰＴＭ方式ベアラの確立が成功したかどうかを判断し、或いは前記ＭＢＭＳのＰＴＭ方式ベアラの確立が成功できるかどうかを判断し、成功できると、前記通知ユニットには、前記ユーザー装置に１つ又は複数のＭＢＭＳをＰＴＭ方式で送信しようとすることの通知を指示するように設置される判断ユニットをさらに備える。
【００２３】
前記判断ユニットは、ＰＴＭ方式で送信される前記ＭＢＭＳに十分な資源を割り当てることができると判断し、及び／又は、前記ＭＢＭＳの優先度レベルが十分に高いと判断することによって、前記ＭＢＭＳのＰＴＭ方式ベアラの確立が成功できると判断するように設置される。
【００２４】
前記ユーザー装置は、ポイントツーポイント(ＰＴＰ)方式で前記１つ又は複数のＭＢＭＳを受信しているユーザー装置である。
【００２５】
前記通知ユニットは、前記ユーザー装置に通知するとともに、前記関連情報を載せて前記ユーザー装置に送信するように設置される。
【００２６】
前記関連情報は、ＰＴＭ方式における前記ＭＢＭＳのマルチメディアブロードキャストマルチキャスト単一周波数ネットワーク（ＭＢＳＦＮ）領域情報、ＰＴＭ方式における前記ＭＢＭＳの開始時間情報、及びＰＴＭ方式で前記ＭＢＭＳに対応する一時的モバイルグループ識別子（ＴＭＧＩ）のいずれか又はそれらの組合せを含む。
【００２７】
当該装置は、前記ユーザー装置が前記ＭＢＭＳのＰＴＰ方式送信の停止を要求する要求を受信した時、ネットワーク側がＰＴＰ方式で前記ユーザー装置に前記ＭＢＭＳの送信を停止することを制御するように設置される送信制御ユニットをさらに備える。
【００２８】
当該装置はトリガーユニットをさらに備え、前記トリガーユニットは、トリガーして前記１つ又は複数のＭＢＭＳのＰＴＭ方式送信を行うように設置され、前記通知ユニットは、前記トリガーユニットがトリガーして前記１つ又は複数のＭＢＭＳのＰＴＭ方式送信を行った後、前記ユーザー装置に１つ又は複数のＭＢＭＳをＰＴＭ方式で送信しようとすることを通知するように設置される。
【００２９】
当該装置は統計ユニットをさらに備え、前記統計ユニットは、ＰＴＰ方式で前記１つ又は複数のＭＢＭＳを受信しているユーザー装置の数、及び／又はＰＴＭ方式で前記１つ又は複数のＭＢＭＳを受信することに関心を持つユーザー装置の数を統計するように設置され、前記トリガーユニットは、前記統計ユニットの統計結果に基づいて、トリガーして前記１つ又は複数のＭＢＭＳのＰＴＭ方式送信を行うかどうかを判断するように設置される。
【００３０】
本発明はさらにユーザー装置を提供し、１つ又は複数のマルチメディアブロードキャストマルチキャストサービス（ＭＢＭＳ）をポイントツーマルチポイント（ＰＴＭ）方式で送信しようとする通知をネットワーク側から受信し、前記１つ又は複数のＭＢＭＳの関連情報を受信するように設置されるシグナル受信ユニットと、前記関連情報に基づいてＰＴＭ方式で前記１つ又は複数のＭＢＭＳを受信するように設置されるデータ受信ユニットと、を備える。
【００３１】
当該ユーザー装置は、前記データ受信ユニットが前記関連情報に基づいてＰＴＭ方式で前記ＭＢＭＳを受信する前、前記ユーザー装置がＭＢＭＳ能力を有するかどうかを判断し、前記ユーザー装置がＭＢＭＳ能力を有すると、前記データ受信ユニットに前記ＭＢＭＳを受信することを指示するように設置される能力判断ユニットをさらに備える。
【００３２】
当該ユーザー装置は、前記データ受信ユニットがＰＴＭ方式で前記ＭＢＭＳを受信した時、前記ＰＴＭ方式で受信した前記ＭＢＭＳがＰＴＰ方式で受信した前記ＭＢＭＳと連続するかどうかを判断し、連続しない場合、前記データ受信ユニットには、２種類の方式で受信した前記ＭＢＭＳが連続するまで、同時にＰＴＭ方式とＰＴＰ方式で前記ＭＢＭＳの受信を維持することを指示するように設置される連続性判断ユニットをさらに備える。
【００３３】
前記連続性判断ユニットはさらに、ＰＴＭ方式とＰＴＰ方式で受信した前記ＭＢＭＳが連続する時、前記データ受信ユニットに前記ＭＢＭＳのＰＴＰ方式受信の停止を指示するように設置される。
【００３４】
当該ユーザー装置は、前記連続性判断ユニットがＰＴＭ方式で受信した前記ＭＢＭＳがＰＴＰ方式で受信した前記ＭＢＭＳと連続すると判断する時、前記ネットワーク側に要求を送信し、前記ネットワーク側が前記ＭＢＭＳのＰＴＰ方式送信を停止することを要求するように設置されるシグナル送信ユニットをさらに備える。
【発明の効果】
【００３５】
本発明はＰＴＰ方式からＰＴＭ方式への切替の基本的な流れを提供し、且つ切替過程でＵＥが受信しているＭＢＭＳの連続性を確保し、実現が簡単で、操作が容易である。
【図面の簡単な説明】
【００３６】
【図１】図１は本発明に係るＭＢＭＳサービス送信方式の切替方法の実施例１及び２のフローチャートである。
【図２】図２は本発明に係るＭＢＭＳサービス送信方式の切替方法のＥ−ＵＴＲＡＮとＵＥのインタラクション模式図である。
【図３】図３は本発明に係るＭＢＭＳサービス送信方式の切替方法の実施例３のフローチャートである。
【図４】図４は本発明に係るマルチメディアブロードキャストマルチキャストサービス送信方式の切替装置のブロック図である。
【図５】図５は本発明に係るユーザー装置のブロック図である。
【発明を実施するための形態】
【００３７】
本発明はマルチメディアブロードキャストマルチキャストサービス送信方式の切替方法を提供し、ネットワーク側はユーザー装置に１つ又は複数のＭＢＭＳをＰＴＭ方式で送信しようとすることを通知し、且つ上記１つ又は複数のＭＢＭＳの関連情報を上記ユーザー装置に送信することと、上記ユーザー装置は上記関連情報に基づいてＰＴＭ方式で上記ＭＢＭＳを受信することと、を含む。
【００３８】
上記ネットワーク側は上記ユーザー装置に１つ又は複数のＭＢＭＳをＰＴＭ方式で送信しようとすることを通知する前、上記ネットワーク側は上記ＭＢＭＳのＰＴＭ方式ベアラの確立が成功したことを確定し、或いは上記ネットワーク側は上記ＭＢＭＳのＰＴＭ方式ベアラの確立が成功できると判断する必要がある。
【００３９】
上記ネットワーク側は、ＰＴＭ方式で送信される上記ＭＢＭＳに十分な資源を割り当てることができ、及び／又は、上記ＭＢＭＳの優先度レベルが十分に高いと判断することによって、上記ＭＢＭＳのＰＴＭ方式ベアラの確立が成功できると判断する。
【００４０】
上記ネットワーク側が通知する上記ユーザー装置は、ＰＴＰ方式で上記１つ又は複数のＭＢＭＳを受信しているユーザー装置である。
【００４１】
上記ネットワーク側は上記ユーザー装置に通知するとともに、上記関連情報を載せる。
【００４２】
上記関連情報は、ＰＴＭ方式における上記ＭＢＭＳのＭＢＳＦＮ領域情報、ＰＴＭ方式における上記ＭＢＭＳの開始時間情報、及びＰＴＭ方式で上記ＭＢＭＳに対応する一時的モバイルグループ識別子（ＴＭＧＩ）のいずれか又はそれらの組合せを含む。
【００４３】
上記ユーザー装置は上記関連情報に基づいてＰＴＭ方式で上記ＭＢＭＳを受信する前、さらに上記ユーザー装置がＭＢＭＳ能力を有するかどうかを判断し、ＭＢＭＳ能力を有すると、上記関連情報に基づいてＰＴＭ方式で上記ＭＢＭＳを受信する。
【００４４】
上記ユーザー装置がＰＴＭ方式で上記ＭＢＭＳを受信した時、上記ＰＴＭ方式で受信した上記ＭＢＭＳがＰＴＰ方式で受信した上記ＭＢＭＳと連続するかどうかを判断し、連続しない場合、２種類の方式で受信した上記ＭＢＭＳが連続するまで、上記ユーザー装置が同時にＰＴＭ方式とＰＴＰ方式で上記ＭＢＭＳを受信することを維持する。
【００４５】
上記ユーザー装置がＰＴＭ方式とＰＴＰ方式で受信した上記ＭＢＭＳが連続する時、上記ＭＢＭＳのＰＴＰ方式受信を停止する。
【００４６】
上記ユーザー装置がＰＴＭ方式で受信した上記ＭＢＭＳはＰＴＰ方式で受信した上記ＭＢＭＳと連続する時、上記ネットワーク側に要求を送信し、上記ネットワーク側が上記ＭＢＭＳのＰＴＰ方式送信を停止することを要求する。上記ネットワーク側が上記要求を受信すると、ＰＴＰ方式で上記ユーザー装置に上記ＭＢＭＳを送信することを停止する。
【００４７】
上記ネットワーク側はトリガーされて上記１つ又は複数のＭＢＭＳのＰＴＭ方式送信を行う時、上記ユーザー装置に上記１つ又は複数のＭＢＭＳをＰＴＭ方式で送信しようとすることを通知する。
【００４８】
上記ネットワーク側は、ＰＴＰ方式で上記１つ又は複数のＭＢＭＳを受信しているユーザー装置の数、及び／又はＰＴＭ方式で上記１つ又は複数のＭＢＭＳを受信することに関心を持つユーザー装置の数を統計し、統計結果に基づいて、トリガーして上記１つ又は複数のＭＢＭＳのＰＴＭ方式送信を行うかどうかを判断する。
【００４９】
上記ネットワーク側は進化型ユニバーサル地上波無線アクセスネットワーク（Ｅ−ＵＴＲＡＮ）であるが、そのほかのシステムであってもよい。
【００５０】
図１、２に示すように、本発明が提供するＭＢＭＳサービス送信方式の切替方法は、以下のステップを備える。
【００５１】
ステップ１０１：Ｅ−ＵＴＲＡＮはＰＴＰ方式で送信されるＭＢＭＳサービスを計数してＰＴＭ方式で当該ＭＢＭＳサービスを送信する必要があるかどうかを把握する。
【００５２】
異なるシーンで２種類の送信方式のスペクトル効率が異なり、一般的には、ある領域においてＰＴＰ方式で受信されるあるＭＢＭＳサービスの数が比較的多く、ある閾値を超える時（一般的には、ＭＢＳＦＮ領域において、一セルあたりに２つ以上のＵＥがＰＴＰ方式でＭＢＭＳを受信する時、ＰＴＭ方式を採用する必要があり、この時、ＭＢＳＦＮ領域を単位としてＰＴＭ方式送信を行い、或いは是１つのセルにおいて２つ以上のＵＥがＰＴＰ方式でＭＢＭＳを受信する時、ＰＴＭ方式で当該セルにおいて送信する必要がある。）、ＰＴＭ方式に切り替えて送信すべきであり、このようにスペクトル効率を向上させることができる。本文に係るＭＢＭＳ能力を有するＵＥとは、ＰＭＣＨ（Ｐｈｙｓｉｃａｌ Ｍｕｌｔｉｃａｓｔ Ｃｈａｎｎｅｌ、物理マルチキャストチャネル）を受信可能なＵＥである。
【００５３】
ＰＴＰ方式で送信される１つ又は複数のＭＢＭＳサービスのＵＥ受信状況を把握する必要があり、ここで、本発明が採用する方式は従来のｃｏｕｎｔｉｎｇ過程であり、Ｅ−ＵＴＲＡＮはｃｏｕｎｔｉｎｇ過程によって、１つ又は複数のＭＢＭＳサービスのＵＥ側の受信状況を把握することができ、すなわち、送信している１つのＭＢＭＳサービスに対して、（大体）いくつのＵＥが受信しているかを把握可能で、送信しようとする１つのＭＢＭＳサービスに対して、いくつのＵＥが受信を待つかも把握可能である。勿論、これらの過程は本発明の補助過程であり、そのほかの方式によって１つ又は複数のＭＢＭＳサービスのＵＥ側の受信状況を把握してもよく、例えば、ＰＴＰ方式はＵＥがＲＲＣ＿Ｃｏｎｎｅｃｔｅｄ（接続）状態で行うことを要求するので、Ｅ−ＵＴＲＡＮは各々の接続状態のＵＥに対してそのサービス内容の識別子を調べることができ、識別子がＭＢＭＳ関連識別子であると、当該ＵＥが当該ＭＢＭＳサービスを受信すると考えられ、このように、Ｅ−ＵＴＲＡＮはＰＴＰ方式におけるＭＢＭＳサービスの受信状況を把握することもできる。
【００５４】
ステップ１０２：Ｅ−ＵＴＲＡＮは上記のように得た当該ＭＢＭＳサービスのＵＥ側の受信状況に基づいて当該ＭＢＭＳサービスの送信方式を変更するかどうかを確定する。
【００５５】
一般的には、ＵＥ数の閾値を予め設定しておくことによって、すなわち、当該ＭＢＭＳサービスを受信するＵＥの数がこの閾値の以上になる時、ＰＴＰ送信方式からＰＴＭ送信方式への切替を実行し、逆も同様である。閾値はシミュレーションによって得ることができる。そのほかの判断方式を用いてもよい。
【００５６】
そのほかの要求によって送信方式の切替を実行してもよく、例えば、いくつかの場合に、事業者が当該ＭＢＭＳサービスの送信方式を変更しようとする時、上記ｃｏｕｎｔｉｎｇ過程を行わず、直接当該ステップで切替選択実行の命令を出力することによって、送信方式の切替を実行してもよい。
【００５７】
具体的に判断を実行するＥ−ＵＴＲＡＮネットワークエレメントは、マルチセル調整エンティティ（Ｍｕｌｔｉ−ｃｅｌｌ／ｍｕｌｔｉｃａｓｔ Ｃｏｏｒｄｉｎａｔｉｏｎ Ｅｎｔｉｔｙ、ＭＣＥ）、ブロードキャストマルチキャストサービスセンター（Ｂｒｏａｄｃａｓｔ-Ｍｕｌｔｉｃａｓｔ - Ｓｅｒｖｉｃｅ Ｃｅｎｔｒｅ、ＢＭＳＣ）、ＭＢＭＳゲートウェイ（ＭＢＭＳ ＧａｔｅＷａｙ、ＭＢＭＳ ＧＷ）、ｅＮＢ（ｅｖｏｌｖｅｄ Ｎｏｄｅ Ｂ、進化型基地局）、モビリティ管理エンティティ（Ｍｏｂｉｌｉｔｙ Ｍａｎａｇｅｍｅｎｔ Ｅｎｔｉｔｙ、ＭＭＥ）のうちの１つ又は複数であってもよく、複数であると、これら複数のネットワークエレメント同士はさらに判断情報の交換を行う必要がある。
【００５８】
ステップ１０３：Ｅ−ＵＴＲＡＮは送信方式の切替を実行しないと決めると、Ｅ−ＵＴＲＡＮは後続の流れを中止する。
【００５９】
ステップ１０４：Ｅ−ＵＴＲＡＮは送信方式の切替を実行すると決める時、Ｅ−ＵＴＲＡＮは新たな送信方式に接続を確立し、例えば、ＰＴＭ方式の送信ベアラを確立し、コアネットワーク側のベアラ確立及び無線ネットワーク側のベアラ確立を含む。Ｅ−ＵＴＲＡＮは当該ＭＢＭＳサービスに１つのＭＢＳＦＮ領域を確定する必要があり、従来のＭＢＳＦＮ領域であってもよく、その後、従来の技術（詳しくは３６．３００、３６．３３１及び３６．４４３関連プロトコルを参照）においてＭＢＳＦＮ領域で１つの新たなサービスを送信する流れによって実行することができる。Ｅ−ＵＴＲＡＮは新たな送信方式によってベアラを成功的に確立した後、或いはＥ−ＵＴＲＡＮは新たな送信方式の確立が成功できた（例えば、送信サービスの資源が十分で、及び／又は送信サービスの優先度レベルが高い等）と予め判断すると、Ｅ−ＵＴＲＡＮは後続の流れを実行する。
【００６０】
Ｅ−ＵＴＲＡＮは新たな送信方式に接続を確立する時、従来の送信方式を継続的に維持する。Ｅ−ＵＴＲＡＮは、ＰＴＰ方式でＭＢＭＳサービスに対応する一時的モバイルグループ識別子（Ｔｅｍｐｏｒａｒｙ Ｍｏｂｉｌｅ Ｇｒｏｕｐ Ｉｄｅｎｔｉｔｙ、ＴＭＧＩ）によって、送信方式が切り替えられるＭＢＭＳサービスを確定することができる。
【００６１】
ステップ１０５：Ｅ−ＵＴＲＡＮは関連ＵＥ（ここで、上記送信方式が切り替えられようとするＭＢＭＳサービスをＰＴＰ方式で受信しているＵＥを意味し、ＵＥがＰＴＰ方式で複数のＭＢＭＳサービスを受信していると、ＵＥは受信している、送信方式が切り替えられようとするＭＢＭＳサービスを判断する必要がある。）に、当該ＭＢＭＳサービスの送信方式が変更されようとすることを通知し、或いはＥ−ＵＴＲＡＮは関連ＵＥに、あるＭＢＭＳサービスがＰＴＭ方式を開始しようとすることを通知する（ＵＥは通知を受信した後、それ自体がＰＴＭ方式で送信しようとする当該ＭＢＭＳサービスをＰＴＰ方式で受信しているかどうかに基づいて、それ自体に受信方式の切替を必要とするかどうかを判断し、ＵＥがＰＴＰ方式で受信しているＭＢＭＳサービスにはＰＴＭ方式で送信しようとする上記ＭＢＭＳサービスが含まれると、当該ＵＥには受信方式の切替が必要である。）。
【００６２】
Ｅ−ＵＴＲＡＮは、ＵＥが迅速に新送信接続の確立を行うように、新送信方式の関連情報を載せてＵＥに伝送してもよい。上記関連情報は、新方式におけるＭＢＳＦＮ領域情報（例えば、新方式における上記ＭＢＭＳサービスのＭＢＳＦＮ領域ＩＤ）、新方式の開始時間情報（すなわち、新方式における上記ＭＢＭＳサービスの送信開始時間）、及び新方式における上記ＭＢＭＳサービスのＴＭＧＩのうちの１つ又は複数を含む。新方式におけるＭＢＳＦＮ領域情報の主要な役割は、新方式における上記ＭＢＭＳサービスがどのＭＢＳＦＮ領域において送信されるかをＵＥに知らせることであり、１つのセルは複数のＭＢＳＦＮ領域によって重複カバーされることが可能であるので、当該パラメータに基づいて、ＵＥは直接に具体的なＭＢＳＦＮ領域を把握することができ、それにより、ＵＥの盲目的検索を回避する。新方式の開始時間情報の主要な役割は、ＵＥがそれ自体の実際状況に応じて新方式の開始前に受信に備える下仕事をするように、新方式における上記ＭＢＭＳサービスの開始時間情報をＵＥに知らせることである。新方式における上記ＭＢＭＳサービスのＴＭＧＩの主要な役割は、ＵＥは直接に当該ＭＢＭＳサービスを受信するように、送信方式を切り替えられる上記ＭＢＭＳサービスが新方式で採用するＴＭＧＩをＵＥに知らせることである。上記ＵＥがＰＴＰ方式で複数のＭＢＭＳサービスを受信していると、Ｅ−ＵＴＲＡＮはさらに、具体的にＰＴＰ方式で受信しているどの（いくつか）ＭＢＭＳサービスの送信方式が切り替えられようとするかをＵＥに知らせる必要がる。
【００６３】
ステップ１０６：ＵＥはＥ−ＵＴＲＡＮの通知を受信した後、Ｅ−ＵＴＲＡＮの送信する新方式の関連情報に基づいて新方式における受信接続を早急に確立し、一般的には、ＵＥが予め残す時間内に新受信方式の下仕事を完成可能であることを確保して早急な切替を確保するように、Ｅ−ＵＴＲＡＮはＵＥに一定の時間を予め残す必要がある。
【００６４】
ステップ１０７：上記関連情報が新方式の開始時間情報を含む時、新方式の開始時点になると、ＵＥは新方式による上記ＭＢＭＳサービスの受信を開始し、；ＵＥが新方式で受信した上記ＭＢＭＳサービスデータは従来のＰＴＰ方式で受信したデータと連続する場合、ＵＥはＥ−ＵＴＲＡＮに要求を送信して従来のＰＴＰ方式送信を停止し、；ＵＥが新方式で受信した上記ＭＢＭＳサービスデータは従来のＰＴＰ方式で受信したデータと連続しない場合、ＵＥは従来のＰＴＰ方式受信を継続的に維持するとともに、新方式による受信を行い、２種類の受信方式におけるデータが連続した後、ＵＥはＥ−ＵＴＲＡＮに要求を送信して従来のＰＴＰ方式送信を停止する。ここで、ＵＥは、それ自体が新方式と従来の方式で受信したＭＢＭＳサービスは連続したかどうかに基づいて、ＵＥをトリガーしてＥ−ＵＴＲＡＮに要求を送信して上記ＭＢＭＳサービスの従来の方式の送信を終止するかどうかを決め、このように、受信方式の切替過程におけるＵＥのサービス連続性を確保することができる。
【００６５】
関連情報は新方式におけるＭＢＳＦＮ領域の情報（すなわち、新方式で上記ＭＢＭＳサービスが所在するＭＢＳＦＮ領域）及び新方式で上記ＭＢＭＳサービスに用いられるＴＭＧＩ情報をさらに含む場合、ＵＥは直接に所定のＭＢＳＦＮ領域において所定のＴＭＧＩに対応するサービスを受信すればよく、上記２種類の情報を含まない場合、ＵＥはそれ自体が現在セルのすべてのＭＢＳＦＮ領域を検索して従来のＰＴＰ方式時に対応するＭＢＭＳサービスを発見する必要があり、ＵＥの検索過程を増加させる。
【００６６】
上記関連情報は新方式の開始時間情報を含まないが、上記新方式におけるＭＢＳＦＮ領域情報（例えば、ＭＢＳＦＮ領域ＩＤ）及び新方式における上記ＭＢＭＳサービスのＴＭＧＩを含む時、ＵＥは、Ｅ−ＵＴＲＡＮの送信する、上記ＰＴＰ方式で送信されるＭＢＭＳサービスが変化しようとすることを通知する情報を受信した後、直接ＰＴＭ方式による当該ＭＢＭＳサービス受信の確立の準備を開始し、準備が終わった後、ＵＥはブロードキャスト制御チャネル（ＢＣＣＨ、Ｂｒｏａｄｃａｓｔ Ｃｏｎｔｒｏｌ Ｃｈａｎｎｅｌ）のＳＩＢ（システム情報ブロック、Ｓｙｓｔｅｍ Ｉｎｆｏｒｍａｔｉｏｎ Ｂｌｏｃｋ）（例えば、ＳＩＢ１３）を受信し、ＭＢＳＦＮ領域情報リストにおいて上記新方式におけるＭＢＳＦＮ領域情報を探し（ない場合、上記ＭＢＳＦＮ領域情報（ＭＢＳＦＮ領域ＩＤ）が上記ＭＢＳＦＮ領域情報リストにあることを発見するまで、ＵＥは次回のブロードキャスト制御情報が更新した後で再び受信する。）、その後、ＵＥは上記ＭＢＳＦＮ領域情報に対応するＭＣＣＨ（マルチメディア通信チャネル、Ｍｕｌｔｉｍｅｄｉａ Ｃｏｍｍｕｎｉｃａｔｉｏｎ Ｃｈａｎｎｅｌ）を受信し、上記ＴＭＧＩに対応するサービスを見つかり、新方式における上記ＭＢＭＳサービスの受信を開始する。
【００６７】
上記関連情報は新方式の開始時間情報を含まないが、上記新方式におけるＭＢＳＦＮ領域情報（例えば、ＭＢＳＦＮ領域ＩＤ）を含む時、ＵＥは、Ｅ−ＵＴＲＡＮの送信する、上記ＰＴＰ方式で送信されるＭＢＭＳサービスが変化しようとすることを通知する情報を受信した後、ＵＥは直接にＰＴＭ方式による当該ＭＢＭＳサービス受信の確立の準備を開始し、準備が終わった後、ＵＥはブロードキャスト制御チャネル（ＢＣＣＨ、Ｂｒｏａｄｃａｓｔ Ｃｏｎｔｒｏｌ Ｃｈａｎｎｅｌ）のＳＩＢ（例えば、ＳＩＢ１３）を受信し、ＭＢＳＦＮ領域情報リストにおいて上記新方式におけるＭＢＳＦＮ領域情報を探し（ないと、上記ＭＢＳＦＮ領域情報（ＭＢＳＦＮ領域ＩＤ）が上記ＭＢＳＦＮ領域情報リストにあることを発見するまで、ＵＥは次回のブロードキャスト制御情報が更新した後で再び受信する。）、その後、ＵＥは上記ＭＢＳＦＮ領域情報に対応するＭＣＣＨを受信し、それからＵＥがＰＴＰ方式で上記ＭＢＭＳサービスを受信する時に対応するＴＭＧＩを探し、発見すると受信する。ただし、この方式について、Ｅ−ＵＴＲＡＮはＰＴＰ方式からＰＴＭ方式への切替の時、当該ＭＢＭＳサービスのＴＭＧＩが変化しないことを確保する必要がある。
【００６８】
上記関連情報は新方式の開始時間情報を含まないが、上記新方式における上記ＭＢＭＳサービスのＴＭＧＩを含む時、ＵＥは、Ｅ−ＵＴＲＡＮの送信する、上記ＰＴＰ方式で送信されるＭＢＭＳサービスがＰＴＭ方式送信に切り替えされようとすることを通知する情報を受信した後、ＵＥは直接ＰＴＭ方式による当該ＭＢＭＳサービス受信の確立の準備を開始し、準備が終わった後、ＵＥはブロードキャスト制御チャネル（ＢＣＣＨ、Ｂｒｏａｄｃａｓｔ Ｃｏｎｔｒｏｌ Ｃｈａｎｎｅｌ）のＳＩＢ（例えば、ＳＩＢ１３）を受信し、セル内のすべてのＭＢＳＦＮ領域情報を確定し、各々のＭＢＳＦＮのＭＣＣＨを、それから上記ＴＭＧＩを発見するまで逐一に受信し、当該ＴＭＧＩに対応するＭＢＭＳサービスを受信すればよい。それ故、上記新方式におけるＭＢＳＦＮ領域情報がセルにおいて複数のＭＢＳＦＮ領域によって重複カバーされる時、ＵＥは検索して新方式におけるＭＢＭＳサービスを発見する過程を大幅に短縮することがわかる。
【００６９】
ステップ１０８：Ｅ−ＵＴＲＡＮが要求を受信した後、ＵＥの要求に応答し、従来のＰＴＰ方式で当該ＵＥに上記ＭＢＭＳを送信することを停止する。
【００７０】
実施例１
いくつかのセルからなるあるＭＢＳＦＮ領域内の一部のセルがＰＴＰ方式でいくつかのＵＥにあるＭＢＭＳサービスを提供しており、当該ＭＢＭＳサービスがＰＴＭ方式で当該ＭＢＳＦＮ領域において送信されていないが、当該ＭＢＭＳサービスがＰＴＭ方式送信を開始されようとすると、この時、Ｅ−ＵＴＲＡＮは上記ＭＢＭＳサービスに対してｃｏｕｎｔｉｎｇ過程を行い、ＰＴＰ方式で当該ＭＢＭＳサービスを受信しているＵＥの数、及び当該ＭＢＭＳサービスがＰＴＭ方式で送信されて当該ＭＢＭＳサービスを受信することに関心を持つＵＥの数を統計し、Ｅ−ＵＴＲＡＮは統計によって、ＰＴＰ方式で受信するＵＥの数及び受信に関心を持つＵＥの数が比較的多く、予め設定された閾値を超えることを分かると、Ｅ−ＵＴＲＡＮは、さらに高いスペクトル効率を得るように、当該ＭＢＭＳサービスに対して当該ＭＢＳＦＮ領域においてＰＴＭ方式を採用しようとするので、当該ＭＢＭＳサービスの送信方式を切り替えようとする。これは、図１を参照して理解される。
【００７１】
Ｅ−ＵＴＲＡＮは上記ＰＴＰ方式で送信されるＭＢＭＳサービスに対してＰＴＭ方式送信への切替を実行する必要があることが分かる。Ｅ−ＵＴＲＡＮはＰＴＭ方式の制御プレーンのベアラ確立の準備、すなわち、ＰＴＭ方式で上記ＭＢＭＳサービスを送信する資源、ＭＢＭＳサービスのスケジューリング優先度の配置、スケジューリング送信の時間の確定等を行う。Ｅ−ＵＴＲＡＮの準備が終わると、Ｅ−ＵＴＲＡＮはＰＴＰ方式で当該ＭＢＭＳサービスを受信するＵＥに関連情報を送信し、上記関連情報は主として、これらのＵＥに当該ＭＢＭＳサービスの従来のＰＴＰ送信／受信方式がＰＴＭ方式送信に切り替えられようとすることを通知し、そしてＵＥに新たなＰＴＭ送信／受信方式のいくつかのパラメータ情報を採用することを通知するためのものであり、これらのパラメータ情報はＵＥが迅速にＰＴＭ受信方式を確立することに寄与することができる。上記関連情報は、新方式におけるＭＢＳＦＮ領域情報（例えば、新方式における上記ＭＢＭＳサービスのＭＢＳＦＮ領域ＩＤ）、新方式の開始時間情報（すなわち、新方式における上記ＭＢＭＳサービスの送信開始時間）、及び新方式における上記ＭＢＭＳサービスのＴＭＧＩを含む。ＵＥはＥ−ＵＴＲＡＮの送信する上記関連情報を受信した後、Ｅ−ＵＴＲＡＮに受信確認情報を返してもよい。
【００７２】
ＵＥはＥ−ＵＴＲＡＮから受信した上記関連情報に基づいて、新たなＰＴＭ方式の受信確立を行う。具体的には、ＵＥは、新方式の開始時間の前に、新方式におけるＭＢＳＦＮ領域情報及びＴＭＧＩ情報に基づいて、セル内に受信準備を確立し、新方式の開始時間になった後、ＵＥは上記ＭＢＳＦＮ領域の上記ＴＭＧＩに対応するＭＢＭＳサービスの受信を開始する。ＵＥはＰＴＭ方式で上記ＭＢＭＳサービスを受信し始めた後、ＰＴＭ方式で受信した上記ＭＢＭＳサービスがＰＴＰ方式で受信した上記ＭＢＭＳサービスと連続したかどうかを判断する必要がある。これは、従来のＰＴＰ方式で同一のＭＢＭＳサービスを受信する異なるＵＥが当該ＭＢＭＳサービスの内容を受信するのは非同期であるからである。ただし、全体時間差は小さい（例えば、秒レベル）。連続しないと、２種類の方式で受信した上記ＭＢＭＳが連続するまで、上記ＵＥは同時にＰＴＭ方式とＰＴＰ方式で上記ＭＢＭＳを受信することを維持する。
【００７３】
ＵＥの方式切替前後の上記ＭＢＭＳサービス内容が連続すると、ＵＥはＥ−ＵＴＲＡＮに要求を送信し、Ｅ−ＵＴＲＡＮがそれに継続的にＰＴＰ方式で当該ＭＢＭＳサービスを送信することを停止することを要求する。Ｅ−ＵＴＲＡＮはＵＥの送信する上記要求を受信した後、ＵＥに１つの確認情報を送信してもよい。その後、それに継続的にＰＴＰ方式で当該ＭＢＭＳサービスを送信することを停止し、Ｅ−ＵＴＲＡＮは対応する資源を放出する。ＵＥは継続的にＰＴＰ方式で当該ＭＢＭＳサービスを受信しないようになる。
【００７４】
実施例２
いくつかのセルからなるあるＭＢＳＦＮ領域内の一部のセルがＰＴＰ方式でいくつかのＵＥにあるＭＢＭＳサービスを提供しており、当該ＭＢＭＳサービスがＰＴＭ方式で当該ＭＢＳＦＮ領域において送信されていないとすると、この時、事業者は上記ＭＢＭＳサービスに対して統計を行い、ここでｃｏｕｎｔｉｎｇメカニズムを用いず、そのほかのメカニズムを採用し、例えば、ＵＥはＰＴＰ方式でＭＢＭＳサービスを受信するには、接続状態である必要があり、この時、Ｅ−ＵＴＲＡＮはこれらのＵＥが受信しているＭＢＭＳサービスを把握することができ、この統計方式はＰＴＰ方式で当該ＭＢＭＳサービスを受信しているＵＥしか統計せず、実施例１において当該ＭＢＭＳサービスを受信することに関心を持つＵＥを含まない。Ｅ−ＵＴＲＡＮは統計によって、ＰＴＰ方式で受信するＵＥの数が比較的多いことを分かり、予め設定された閾値を超えると、Ｅ−ＵＴＲＡＮは、さらに高いスペクトル効率を得るように、当該ＭＢＭＳサービスに対して当該ＭＢＳＦＮ領域内においてＰＴＭ方式を採用しようとするので、当該ＭＢＭＳサービスの送信方式を切り替えようとする。これは、図１を参照して理解できる。
【００７５】
Ｅ−ＵＴＲＡＮは上記ＰＴＰ方式で送信されるＭＢＭＳサービスに対してＰＴＭ方式送信への切替を実行する必要があることが分かる。Ｅ−ＵＴＲＡＮはＰＴＭ方式の制御プレーンのベアラ確立の準備、すなわち、ＰＴＭ方式で上記ＭＢＭＳサービスを送信する資源、ＭＢＭＳサービスのスケジューリング優先度の配置、スケジューリング送信の時間の確定等を行う。Ｅ−ＵＴＲＡＮは、例えば、資源が十分であること、スケジューリング優先度レベルが一番高いこと等によって、準備過程で上記条件が完全に実現可能であると判断できる場合、Ｅ−ＵＴＲＡＮはＰＴＰ方式で当該ＭＢＭＳサービスを受信するＵＥに関連情報を送信する。上記関連情報は主として、これらのＵＥに当該ＭＢＭＳサービスの従来のＰＴＰ送信／受信方式がＰＴＭ方式送信に切り替えられようとすることを通知し、そしてＵＥに新たなＰＴＭ送信／受信方式のいくつかのパラメータ情報を採用することを通知するためのものであり、これらのパラメータ情報によりＵＥが迅速にＰＴＭ受信方式を確立することに寄与することができる。上記関連情報は、新方式におけるＭＢＳＦＮ領域情報（例えば、新方式における上記ＭＢＭＳサービスのＭＢＳＦＮ領域ＩＤ）、及び新方式における上記ＭＢＭＳサービスのＴＭＧＩを含む。ＵＥはＥ−ＵＴＲＡＮの送信する上記関連情報を受信した後、ＵＥはＥ−ＵＴＲＡＮに受信確認情報を返してもよい。
【００７６】
ＵＥは受信したＥ−ＵＴＲＡＮからの上記関連情報に基づいて、新たなＰＴＭ方式の受信確立を行う。具体的には、新方式におけるＰＴＭ開始の時間情報がないので、ＵＥは直ちに新方式におけるＭＢＳＦＮ領域情報及びＴＭＧＩ情報に基づいて、セルにおいて受信準備の確立を開始し、且つ上記ＭＢＳＦＮ領域のＭＣＣＨから上記ＴＭＧＩを探してみて、上記ＴＭＧＩを発見した後、ＵＥはＴＭＧＩに対応するＭＢＭＳサービスの受信を開始する。
【００７７】
ＵＥはＰＴＭ方式で上記ＭＢＭＳサービスを受信し始めた後、ＰＴＭ方式で受信した上記ＭＢＭＳサービスがＰＴＰ方式で受信した上記ＭＢＭＳサービスと連続したかどうかを判断する必要がある。これは、従来のＰＴＰ方式で同一のＭＢＭＳサービスを受信する異なるＵＥが当該ＭＢＭＳサービスの内容を受信する際は非同期であるからである。ただし、非同期とはいえ、全体時間差は小さい（例えば、秒レベル）。ＵＥの方式切替前後の上記ＭＢＭＳサービス内容が連続する場合、ＵＥはＥ−ＵＴＲＡＮに要求を送信し、Ｅ−ＵＴＲＡＮがそれに継続的にＰＴＰ方式で当該ＭＢＭＳサービスを送信することを停止することを要求する。Ｅ−ＵＴＲＡＮはＵＥの送信する上記要求を受信した後、ＵＥに１つの確認情報を送信してもよい。その後、それに継続的にＰＴＰ方式で当該ＭＢＭＳサービスを送信することを停止し、Ｅ−ＵＴＲＡＮは対応する資源を放出する。ＵＥは継続的にＰＴＰ方式で当該ＭＢＭＳサービスを受信しないようになる。
【００７８】
実施例３
図３に示すように、いくつかのセルからなるあるＭＢＳＦＮ領域内の一部のセルがＰＴＰ方式でいくつかのＵＥにあるＭＢＭＳサービスを提供しており、当該ＭＢＭＳサービスがＰＴＭ方式で当該ＭＢＳＦＮ領域において送信されていないとすると、この時、事業者は上記ＭＢＳＦＮ領域内の資源が不十分であることを考慮して、ＰＴＭ方式で当該ＭＢＭＳサービスを送信すると決める、或いは、事業者はある運営目的を達成するために、ＰＴＭ方式で上記ＭＢＳＦＮ全領域内において送信を行う必要がある。事業者はＥ−ＵＴＲＡＮをトリガーして上記ＭＢＭＳサービスにＰＴＭ送信のベアラを試みに確立し始める。流れは図３に示される。Ｅ−ＵＴＲＡＮはＰＴＭ方式ベアラ確立の準備を実行する必要があり、なんらかの制限によっては成功しないかもしれないので、Ｅ−ＵＴＲＡＮはＰＴＭ方式を確立を試み、以下では、この試みが成功であるとする。
【００７９】
Ｅ−ＵＴＲＡＮは上記ＰＴＰ方式で送信されるＭＢＭＳサービスに対してＰＴＭ方式送信への切替を実行する必要があることが分かる。Ｅ−ＵＴＲＡＮはＰＴＭ方式の制御プレーンのベアラ確立の準備、すなわち、ＰＴＭ方式で上記ＭＢＭＳサービスを送信する資源、ＭＢＭＳサービスのスケジューリング優先度の配置、スケジューリング送信の時間の確定等の作業を行い、Ｅ−ＵＴＲＡＮによる準備が終わると、Ｅ−ＵＴＲＡＮはＰＴＰ方式で当該ＭＢＭＳサービスを受信するＵＥに関連情報を送信する。上記関連情報は主として、これらのＵＥに当該ＭＢＭＳサービスの従来のＰＴＰ送信方式がＰＴＭ方式送信に切り替えられようとすることを通知し、そしてＵＥに新たなＰＴＭ送信方式のいくつかのパラメータ情報を採用することを通知するためのものであり、これらのパラメータ情報はＵＥが迅速にＰＴＭ受信方式を確立することに寄与することができる。上記関連情報は、新方式における上記ＭＢＭＳサービスのＴＭＧＩを含む。ＵＥはＥ−ＵＴＲＡＮの送信する上記関連情報を受信した後、Ｅ−ＵＴＲＡＮに受信確認情報を返してもよい。
【００８０】
ＵＥは受信したＥ−ＵＴＲＡＮからの上記関連情報に基づいて、新たなＰＴＭ方式の受信確立を行う。具体的には、新方式におけるＰＴＭ開始の時間情報がないので、ＵＥは直ちに上記関連情報に基づいて受信準備を実行する。新方式におけるＭＢＳＦＮ領域情報がないので、ＵＥはセル内のすべてのＭＢＳＦＮ領域を受信する必要があり、各々のＭＢＳＦＮ領域に対応するＭＣＣＨから上記新方式におけるＴＭＧＩ情報を逐一に探し、上記ＴＭＧＩを発見した後、ＵＥはＴＭＧＩに対応するＭＢＭＳサービスの受信を開始する。
【００８１】
ＵＥはＰＴＭ方式で上記ＭＢＭＳサービスを受信し始めた後、ＰＴＭ方式で受信した上記ＭＢＭＳサービスがＰＴＰ方式で受信した上記ＭＢＭＳサービスと連続したかどうかを判断する必要がある。これは、従来のＰＴＰ方式で同一のＭＢＭＳサービスを受信する異なるＵＥが当該ＭＢＭＳサービスの内容を受信するのは非同期であるからである。ただし、非同期とはいえ、全体時間差は小さい（例えば、秒レベル）。ＵＥの方式切替前後の上記ＭＢＭＳサービス内容が連続した時、ＵＥはＥ−ＵＴＲＡＮに要求を送信し、Ｅ−ＵＴＲＡＮがそれに継続的にＰＴＰ方式で当該ＭＢＭＳサービスを送信することを停止することを要求する。Ｅ−ＵＴＲＡＮはＵＥが送信する上記要求を受信した後、ＵＥに１つの確認情報を送信してもよい。その後、それに継続的にＰＴＰ方式で当該ＭＢＭＳサービスを送信することを停止し、Ｅ−ＵＴＲＡＮは対応する資源を放出する。ＵＥは継続的にＰＴＰ方式で当該ＭＢＭＳサービスを受信しないようになる。
【００８２】
本発明はさらにマルチメディアブロードキャストマルチキャストサービス送信方式の切替装置を提供し、図４に示すように、ユーザー装置に１つ又は複数のマルチメディアブロードキャストマルチキャストサービス（ＭＢＭＳ）をポイントツーマルチポイント（ＰＴＭ）方式で送信しようとすることを通知し、且つ上記１つ又は複数のＭＢＭＳの関連情報を上記ユーザー装置に送信するように設置される通知ユニットを備える。
【００８３】
上記装置は、上記ＭＢＭＳのＰＴＭ方式ベアラの確立が成功した、或いは上記ＭＢＭＳのＰＴＭ方式ベアラの確立が成功できると判断する時、上記通知ユニットには、上記ユーザー装置に１つ又は複数のＭＢＭＳをＰＴＭ方式で送信しようとすることを通知することを指示するように設置される判断ユニットをさらに備える。
【００８４】
上記判断ユニットは、ＰＴＭ方式で送信される上記ＭＢＭＳに十分な資源を割り当てることができ、及び／又は、上記ＭＢＭＳの優先度レベルが十分に高いと判断することによって、上記ＭＢＭＳのＰＴＭ方式ベアラの確立が成功できると判断するように設置される。
【００８５】
上記通知ユニットは、ポイントツーポイント(ＰＴＰ)方式で上記１つ又は複数のＭＢＭＳを受信しているユーザー装置に通知するように設置される。
【００８６】
上記通知ユニットは、上記ユーザー装置に通知するとともに、上記関連情報を載せるように設置される。
【００８７】
上記関連情報は、ＰＴＭ方式における上記ＭＢＭＳのマルチメディアブロードキャストマルチキャスト単一周波数ネットワーク（ＭＢＳＦＮ）領域情報、ＰＴＭ方式における上記ＭＢＭＳの開始時間情報、及びＰＴＭ方式で上記ＭＢＭＳに対応する一時的モバイルグループ識別子（ＴＭＧＩ）のいずれか又はそれらの組合せを含む。
【００８８】
上記装置は、上記ユーザー装置が上記ＭＢＭＳのＰＴＰ方式送信の停止を要求する要求を受信した時、ネットワーク側がＰＴＰ方式で上記ユーザー装置に上記ＭＢＭＳを送信することを停止することを制御するように設置される送信制御ユニットをさらに備える。
【００８９】
上記装置は、トリガーして上記１つ又は複数のＭＢＭＳのＰＴＭ方式送信を行うように設置されるトリガーユニットをさらに備える。
【００９０】
上記通知ユニットは、上記トリガーユニットがトリガーして上記１つ又は複数のＭＢＭＳのＰＴＭ方式送信を行った後、上記ユーザー装置に１つ又は複数のＭＢＭＳをＰＴＭ方式で送信しようとすることを通知するように設置される。
【００９１】
上記装置は、ＰＴＰ方式で上記１つ又は複数のＭＢＭＳを受信しているユーザー装置の数及び／又はＰＴＭ方式で上記１つ又は複数のＭＢＭＳを受信することに関心を持つユーザー装置の数を統計するように設置される統計ユニットをさらに備える。
【００９２】
上記トリガーユニットは、上記統計ユニットの統計結果に基づいて、トリガーして上記１つ又は複数のＭＢＭＳのＰＴＭ方式送信を行うかどうかを判断するように設置される。
【００９３】
本発明はさらにユーザー装置を提供し、図５に示すように、上記ユーザー装置は、；１つ又は複数のマルチメディアブロードキャストマルチキャストサービス（ＭＢＭＳ）をポイントツーマルチポイント（ＰＴＭ）方式で送信しようとする通知をネットワーク側から受信し、及び上記１つ又は複数のＭＢＭＳの関連情報を受信するように設置されるシグナル受信ユニットと、；上記関連情報に基づいてＰＴＭ方式で上記１つ又は複数のＭＢＭＳを受信するように設置されるデータ受信ユニットと、を備える。
【００９４】
上記ユーザー装置は、上記データ受信ユニットが上記関連情報に基づいてＰＴＭ方式で上記ＭＢＭＳを受信する前、上記ユーザー装置がＭＢＭＳ能力を有するかどうかを判断し、上記ユーザー装置がＭＢＭＳ能力を有すると、上記データ受信ユニットに上記ＭＢＭＳを受信することを指示するように設置される能力判断ユニットをさらに備える。
【００９５】
上記ユーザー装置は、上記データ受信ユニットがＰＴＭ方式で上記ＭＢＭＳを受信した時、上記ＰＴＭ方式で受信した上記ＭＢＭＳがＰＴＰ方式で受信した上記ＭＢＭＳと連続するかどうかを判断し、連続しない場合、上記データ受信ユニットには、２種類の方式で受信した上記ＭＢＭＳが連続するまで、同時にＰＴＭ方式とＰＴＰ方式で上記ＭＢＭＳを受信することを維持することを指示するように設置される連続性判断ユニットをさらに備える。
【００９６】
上記連続性判断ユニットは、ＰＴＭ方式とＰＴＰ方式で受信した上記ＭＢＭＳが連続する時、上記データ受信ユニットに上記ＭＢＭＳのＰＴＰ方式受信の停止を指示するように設置される。
【００９７】
上記ユーザー装置は、ＰＴＭ方式で受信した上記ＭＢＭＳがＰＴＰ方式で受信した上記ＭＢＭＳと連続すると上記連続性判断ユニットが判断する時、上記ネットワーク側に要求を送信し、上記ネットワーク側が上記ＭＢＭＳのＰＴＰ方式送信を停止することを要求するように設置されるシグナル送信ユニットをさらに備える。
【００９８】
本発明はＥ−ＵＴＲＡＮシステムだけでなく、そのほかのシステムにも適用できる。また、本発明はＰＴＰ送信方式からＰＴＭ送信方式への切替に適用できるだけでなく、そのほかのＭＢＭＳサービス送信方式があると、本発明に係る切替方法を用いてもよい。
【００９９】
本発明はＭＢＭＳ送信のＰＴＰ方式からＰＴＭ方式への切替を実現する。そして、切替過程でＵＥが受信しているＭＢＭＳの連続性を確保し、実現が簡単で、操作が容易である。
【０１００】
当然、当業者には、前述した本発明の各モジュール又は各ステップは汎用計算装置によって実現可能であり、それらは１つの計算装置に集積してもよく、複数の計算装置からなるネットワークに分散してもよく、それらは計算装置が実行可能なプログラムコードによって実現してもよく、それにより、それらを記憶装置に記憶して計算装置で実行してもよく、それらをそれぞれ別々の集積回路モジュールに作製して実現してもよく、それらのうちの複数のモジュール又はステップを１つの集積回路モジュールに作製して実現してもよいと理解すべきである。このように、本発明はいかなる特定のハードウェア及びソフトウェアの組合せに限定されるものではない。
【産業上の利用可能性】
【０１０１】
従来の技術に比べて、本発明はＰＴＰ方式からＰＴＭ方式への切替過程でＵＥが受信しているＭＢＭＳの連続性を確保し、実現が簡単で、操作が容易である。
【図１】
0005844879.tif 000002
【図２】
0005844879.tif 000003
【図３】
0005844879.tif 000004
【図４】
0005844879.tif 000005
【図５】
0005844879.tif 000006